(57)【要約】【課題】片手での安定したキー入力を保証する携帯型通信機器を提供する。【解決手段】可動式のフレーム１１は、キー部３の下方（すなわち、最下段のキー４よりも下側）に筐体１の把持部を延長するために設けられ、筐体１内のガイド１０に沿って引き出し／収納が可能である。この可動式のフレーム１１を引き出して展開することにより、フレーム１１の部分で筐体１を安定して保持することが可能となる。【選択図】　　　図１
2004104496.tif 000002
【特許請求の範囲】
【請求項１】
筐体の把持部を延長するために、筐体の縦方向に展開可能なフレームを備えたことを特徴とする携帯型通信機器。
【請求項２】
筐体の把持部を延長するために、筐体内に収納され筐体の縦方向に引き出し可能なフレームを備えたことを特徴とする携帯型通信機器。
【請求項３】
前記フレームを引き出し方向に付勢するバネと、前記フレームを収納状態にロックするロック機構と、押しボタン操作によってフレームのロックを解除するロック解除機構とを設けたことを特徴とする請求項２に記載の携帯型通信機器。
【請求項４】
表示画面を有する筐体とキー部を有する筐体とが折り畳まれる携帯型通信機器において、筐体の把持部を延長するために、キー部を有する筐体の縦方向に引き出し可能なフレームを備えたことを特徴とする携帯型通信機器。
【請求項５】
折り畳まれた筐体の展開動作と連動して前記フレームが引き出されることを特徴とする請求項４に記載の携帯型通信機器。
【請求項６】
前記フレームを収納状態にロックするロック機構と、折り畳まれた筐体の展開によって前記フレームのロックを解除するロック解除機構とを設けたことを特徴とする請求項４に記載の携帯型通信機器。
【請求項７】
筐体背後に回転させて収納可能なフレームを有することを特徴とする携帯型通信機器。
【請求項８】
前記フレームの位置によって、あらかじめ設定された機能を実行することを特徴とする請求項１〜７のいずれかに記載の携帯型通信機器。
【発明の詳細な説明】
【０００１】
【発明の属する技術分野】
本発明は、音声通話及び文字／画像通信等が可能な携帯型通信機器に関するものである。
【０００２】
【従来の技術】
現在の高機能化した携帯型通信機器は、メールをはじめ、Ｗｅｂのブラウズ機能などを備えることにより、非常に多くの文字情報や画像情報を閲覧する必要がある。このため、表示画面は筐体のサイズが許す限り大きくとることにより、多くの文字・画像情報を簡単に閲覧でき、使い勝手を向上させることができる。
【０００３】
一方、メールの普及により、文字を入力する頻度は非常に高くなっている。一般的に携帯電話では、数字キーを使って文字の入力を行うが、日本語の基本文字５０音に対して、携帯電話の数字キーは１０個程度であり、通常カナ一文字を入力するために、３回程度の入力が必要となる。このため、キーのサイズも表示画面と同様、大きい方が使い勝手がよい。
【０００４】
上記二つの理由により、閲覧と入力の使い勝手を同時に向上させるためには、図１３のように、筐体１の表面のほとんどを表示画面２とキー部３で覆うようなデザインにする必要がある。しかし、図１３のようなストレート型端末では、あまり筐体１の長さを長くしてしまうと、持ち運びが不便となるという難点がある。
【０００５】
それに対し、図１４に示すような折り畳み型では、未使用時に半分のサイズに折り畳むことができるため、ストレート型よりも表示画面２、キー部３とも大きく作ることができる。
【０００６】
いずれにしても、このような携帯電話での文字の入力は、立った状態や片手が塞がった状態で使うことが多く、片手で筐体１を保持しながら同じ手の親指を使って入力することが一般的である。
【０００７】
しかしながら、筐体１を支えたまま片手で入力を行うと、筐体１最下部に配置されたキー４を操作するためには親指に無理な力をかける必要があり、操作が難しいという問題がある。
【０００８】
また、親指を最下段のキー４に楽に届かせるために筐体１下端部を持つと、支える手のひらの面積が小さくなるため、不安定になり、ちょっとしたきっかけで落としてしまう可能性が高くなる。このため、メールなど文字の入力頻度が高い作業では、使用者に大きなストレスを与えることになる。
【０００９】
これを解決するためには、筐体１を長くして最下段のキー４よりも下側に把持部をつくり、安定して持つことができるようにする必要があるが、そのためには筐体の大きさをむやみに大きくするか、表示画面やキーのサイズを小さくしなければならないという問題がある。
【００１０】
また、フリップやスライド式のカバーにより、未使用時にキー部を保護し、使用時には展開することにより、マイクの位置を口元に近づけることを目的とする形状の携帯電話もある。
【００１１】
この展開したフリップやスライド部を固定することにより、携帯機器のホールド感を高めることができると考えられるが、未使用時にはキー部が収納される、折りたたみ型の端末では適用できない。また、フリップやスライド部はキー全体を覆う必要があるため、デザイン上の自由度が少なく、機構的にも大掛かりなものとなる。更にフリップでは、筐体を支えようとすると、フリップが閉まる方向に動くため、安定して支持することが難しい。
【００１２】
また、特許文献１には、図１５に示すように、スライド操作部７１が装置本体７０に対してスライド移動する携帯通信装置が開示されており、スライド操作部７１を開いた状態で、液晶表示部７４の全体領域を目視しつつキー操作部７２による入力操作が可能となっている。
【００１３】
【特許文献１】
特開２０００−２０１２０８号公報　（第８頁、第９図）
【００１４】
【発明が解決しようとする課題】
しかしながら、装置本体７０を左手で保持し、右手でスライド操作部７１のキー操作部７２の操作を行なうという両手を使った作業が必要となり、片手操作に慣れた使用者には使いづらいという問題がある。
【００１５】
本発明は、上記の課題に鑑みてなされたものであり、片手での安定したキー入力を保証する携帯型通信機器を提供するものである。
【００１６】
【課題を解決するための手段】
上記目的を達成するために本発明の携帯型通信機器は、筐体の把持部を延長するために、筐体の縦方向に展開可能なフレームを備えたことを特徴としており、フレームを展開して筐体を保持することにより、片手でスムーズにキー操作が行なえるようになる。また、操作するキーの位置に応じて、筐体の把持位置を縦に大きく移動することが可能となる。
【００１７】
また、普段はフレームを筐体内に収納しておき、必要に応じて筐体の縦方向に引き出し可能にすることにより、フレームの使い勝手が向上する。
【００１８】
この場合、フレームを引き出し方向に付勢するバネと、フレームを収納状態にロックするロック機構と、押しボタン操作によってフレームのロックを解除するロック解除機構とを設けることにより、フレームの引き出しがワンタッチで行なえるようになり、操作性が大幅に向上する。
【００１９】
また、本発明の携帯型通信機器は、表示画面を有する筐体とキー部を有する筐体とが折り畳まれる携帯型通信機器において、筐体の把持部を延長するために、キー部を有する筐体の縦方向に引き出し可能なフレームを備えたことを特徴としており、筐体を展開後、フレームを引き出して筐体を保持することにより、片手でスムーズにキー操作が行なえるようになる。また、操作するキーの位置に応じて、筐体の把持位置を縦に大きく移動することが可能となる。
【００２０】
この場合、折り畳まれた筐体の展開動作と連動してフレームが引き出されるようにすることで、筐体を展開するだけでフレームが引き出されるため、操作性が大幅に向上する。
【００２１】
あるいは、フレームを収納状態にロックするロック機構と、折り畳まれた筐体の展開によってフレームのロックを解除するロック解除機構とを設けてもよい。この場合は、筐体を展開してもフレームが飛び出すことはないが、筐体の展開によって収納状態のロックが解除されるため、用途に応じてフレームを引き出して使用することができるようになる。
【００２２】
そして、上記のいずれの場合であってもフレームの位置によって、あらかじめ設定された機能を実行するようにすると、操作が直感に近くなり、モードの選択などが容易に行なえるようになる。
【００２３】
なお、フレームは筐体背後に回転させて収納してもよい。これにより、フレームの後付けや交換が容易に行なえるようになる。
【００２４】
【発明の実施の形態】
本発明の第１の実施形態について説明する。図１は第１の実施形態を示す携帯型通信機器の上面図である。可動式のフレーム１１は、キー部３の下方（すなわち、最下段のキー４よりも下側）に筐体１の把持部を延長するために設けられ、筐体１内のガイド１０に沿って引き出し／収納が可能である。この可動式のフレーム１１を引き出して展開することにより、フレーム１１の部分で筐体１を安定して保持することが可能となる。
【００２５】
図２はフレーム１１が収納されたとき（ａ）とフレーム１１が展開されたとき（ｂ）の機構図、図３はその断面図を示す。断面円形のガイド１０は、内側がスリット状に一部切り抜かれ、溝１３が形成されており、その中をフレーム１１に取り付けられたストッパー１２が自由に動く構造となっている。
【００２６】
図２（ａ）の収納状態から使用者がフレーム１１を展開しようとすると、ガイド１０内をフレーム１１がすべり、矢印方向に引き出されていく。フレーム１１は図２（ｂ）のように、ストッパー１２がガイド１０の溝１３の壁に当たるまで、自由に展開することができる。このとき、ストッパー１２と溝１３の位置関係を調整することにより、フレーム１１の可動範囲を設定することができる。
【００２７】
次に、本発明の第２の実施形態について説明する。図４は第２の携帯型通信機器の上面図であり、図５はフレーム１１を収納したとき（ａ）とフレーム１１を展開したとき（ｂ）の機構図を示している。フレーム１１の先端はガイド１０の内部に取り付けられたバネ１４に挿入され、バネ１４を固定している。フレーム１１の側面には外側に開口した楔形の凹部１５が設けられている。ラッチ１６は、鈍角の支点１６ａがガイド１０の外壁に接するように、ガイド１０の外側に枢支され、鋭角に形成された一端がガイド１０を貫通しており、他端にはボタン１７が取り付けられている。ボタン１７は、筐体１の外部へ横方向に露出している。
【００２８】
フレーム１１の収納時には、図５（ａ）に示すように、バネ１４が縮んだ状態となり、凹部１５がラッチ１６に引っ掛かってフレーム１１がロックされる。このとき、ボタン１７を外側から矢印のように押し込むと、ラッチ１６が支点１６ａを中心に回動してフレーム１１のロックが解除され、図５（ｂ）のように、バネ１４の力により、フレーム１１が自動的に展開される。したがって、バネ１４の力により使用者が自らフレーム１１を引き出すことなく、簡単なボタン操作でフレーム１１を展開させることができる。
【００２９】
次に、本発明の第３の実施形態について説明する。図６に第３の実施形態の携帯型通信機器のフレーム１１を収納したとき（ａ）とフレームを展開したとき（ｂ）の機構図を示す。ガイド１０の外壁には、溝１３の上下にフレーム１１の収納状態検出センサ４１と展開状態検出センサ４２とがそれぞれ設けられている。これらのセンサ４１，４２は、ストッパー１２と接触することにより、フレーム１１の位置を検出し、これらセンサ４１，４２から出力される情報を、携帯型通信機器のキー入力の一つとして扱うことにより、フレーム１１の展開・収納に同期して携帯型通信機器の機能を実行することができる。
【００３０】
図７は、この携帯型通信機器のブロック図を示している。携帯型通信機器は、制御回路６１、表示装置６２、操作キー６３、収納状態検出センサ４１、展開状態検出センサ４２から構成され、各センサ４１，４２の状態は、制御回路６１に入力されるようになっている。
【００３１】
次に、閲覧機能実行中にフレーム１１の展開を検出して、新規作成機能を実行する機器の動作を、図８のフローチャートを用いて説明する。閲覧機能が実行されると、ステップＳ６１で、制御装置６１は表示装置６２に閲覧画面を表示する。次に制御装置６１はステップＳ６２で、操作キー６３の中に含まれる新規作成キーが押下されていないかチェックを行い、押下されていれば、閲覧動作を終了し、新規作成機能を実行する（Ｓ６７）。また制御装置６１はステップＳ６３で、フレーム１１の展開状態検出センサ４２の状態を読み出し、フレーム１１が展開されていることを検知すると、同様に新規作成機能を実行する（Ｓ６７）。
【００３２】
フレーム１１が収納されている場合は、ステップＳ６４で、操作キー６３に含まれる終了キーが押下されていることを検出すると、閲覧動作を終了する（Ｓ６８）。その他のキーが押されていれば、そのキーに応じた閲覧動作を実行し、閲覧画面の表示（Ｓ６１）に戻る。また、一定時間操作キー６３が何も押されていないときも、閲覧画面の表示（Ｓ６１）に戻る。
【００３３】
このように、フレーム１１の状態を検知するセンサ４１，４２を設けたことにより、フレーム１１の位置によって、あらかじめ割り当てられた機能を実行するようにすることができる。例えば、カレンダー閲覧中にフレーム展開で、スケジュール入力機能の実行や、電話番号閲覧中にフレーム展開で、電話番号の新規入力機能を実行することができる。また、メール閲覧中にフレーム展開で、閲覧中へのメールへの返信作成機能を実行することなどもできる。このように、入力動作をフレームの展開と結びつけることにより、直感的な操作が可能となり、利便性を飛躍的に向上させることができる。
【００３４】
次に、本発明の第４の実施形態を説明する。図９は、第４の実施形態を示す折り畳み式携帯型通信機器の表示画面を有する筐体３１の展開により、キー部を有する筐体３６内に収納されたフレーム１１が伸張する動作を示す機構図である。表示画面を有する筐体３１の回転部３２に沿って稼動するアーム３３，３４は自由に動く関節３５で連結されており、一方のアーム３３は表示画面を有する筐体３１の回転部３２に固定され、他方のアーム３４はフレーム１１に固定されている。
【００３５】
操作者が表示画面を有する筐体３１を開くと、回転部３２の外周差によって、フレーム１１はアーム３３，３４により押し出され、図９（ａ）、（ｂ）、（ｃ）の順に自動的に展開される。また、表示画面を有する筐体３１を閉じると、逆にフレーム１１が引っ張られて、自動的に収納される。これにより、表示画面を有する筐体３１の展開に連動させて、自動的にフレーム１１を展開・収納させることができる。
【００３６】
次に、本発明の第５の実施形態を説明する。図１０は、表示画面を有する筐体３１が折り畳まれフレーム１１がロックされたとき（ａ）と表示画面を有する筐体３１が展開され、フレーム１１が引き出し可能になったとき（ｂ）の機構図を示している。表示画面を有する筐体３１の回転部３２に沿って稼動するアーム５１，５２は自由に動く関節５５で連結されており、一方のアーム５１は表示画面を有する筐体３１の回転部３２に固定され、他方のアーム５２はキー部を有する筐体３６内部の上面に回転可能に取り付けられた爪５６に固定されている。回転部３２には、回転軸と平行に棒３７が設けられていて、棒３７はアーム５１のすべり穴５３内に挿入されている。同様に、爪５６にも回転軸と平行に棒３８が設けられていて、棒３８はアーム５２のすべり穴５４内に挿入されている。すべり穴５３，５４は、それぞれアーム５１と爪５６の動きに所定のあそびを設けている。
【００３７】
表示画面を有する筐体３１が折り畳まれているとき、図１０（ａ）に示すように、表示画面を有する筐体３１に接続されたアーム５１，５２は伸びきった状態となり、爪５６は垂直に立ってストッパー１２を固定する。このためフレーム１１にロックがかかり、展開できなくなる。また、表示画面を有する筐体３１が開かれると、図１０（ｂ）のように、爪５６がストッパー１２からはずれ、ロックが解除されるため、フレーム１１は自由に引き出すことができるようになる。
【００３８】
次に、本発明の第６の実施形態を説明する。図１１はフレーム４０を展開した状態を上部から見た図であり、図１２はフレーム４０を収納時（ａ）と展開時（ｂ）の側面図を示している。フレーム４０は、支点４１で筐体１側部に固定されており、自由に回転することができるが、図１２（ｂ）で示された展開時の位置以上は回転しない。メールの文章を書くときは、図１２（ｂ）のようにフレーム４０を展開し、フレーム４０とともに筐体１を保持することにより、キー部３の操作が楽に行なえるようになる。フレーム４０の不使用時は、図１２（ａ）のように、筐体１背部に回転させることにより収納が可能となる。なお、この実施形態によると、フレーム４０の後付けや交換が容易に行なえるというメリットがある。
【００３９】
【発明の効果】
以上説明したように本発明によると、携帯型通信機器の筐体のキー部の下方に、展開可能なフレームを設けたので、フレームを展開して保持することにより、片手で安定したキーの入力が可能となる。
【００４０】
また、フレームの展開に連動して、メールの作成機能の実行など、文字入力に関連した機能を実行させることにより、直感的な操作が可能となり、利便性を飛躍的に向上させることができる。
【図面の簡単な説明】
【図１】本発明の第１の実施形態を示す携帯型通信機器の上面図である。
【図２】同上携帯型通信機器のフレームが収納されたとき（ａ）とフレームが展開されたとき（ｂ）の機構図である。
【図３】図２の断面図である。
【図４】本発明の第２の実施形態を示す携帯型通信機器の上面図である。
【図５】同上携帯型通信機器のフレームが収納されたとき（ａ）とフレームが展開されたとき（ｂ）の機構図である。
【図６】本発明の第３の実施形態を示す携帯型通信機器のフレームが収納されたとき（ａ）とフレームが展開されたとき（ｂ）の機構図である。
【図７】同上携帯型通信機器のブロック図である。
【図８】閲覧機能実行中にフレームの展開を検出して、新規作成機能を実行する機器の動作を説明するフローチャートである。
【図９】本発明の第４の実施形態を示す携帯型通信機器の折り畳み部の展開により伸張する機構の動作を示す概略図であり、折り畳み部の折り畳み時（ａ）、展開途中（ｂ）、展開時（ｂ）の断面を示している。
【図１０】本発明の第５の実施形態を示す携帯型通信機器の折り畳み部の展開により伸張する機構の動作を示す概略図であり、折り畳み部の折り畳み時（ａ）、展開途中（ｂ）、展開時（ｂ）の断面を示している。
【図１１】本発明の第６の実施形態を示す携帯型通信機器の上面図である。
【図１２】同上携帯型通信機器のフレームが収納されたとき（ａ）とフレームが展開されたとき（ｂ）の機構図である。
【図１３】従来のストレートタイプの携帯電話の一例を示す上面図である。
【図１４】従来の折り畳み型の携帯電話の一例を示す上面図である。
【図１５】特開２０００−２０１２０８号公報に示された携帯通信装置の使用状態を示す斜視図である。
【符号の説明】
１　筐体
２　表示画面
３　キー部
４　最下段のキー
１０　ガイド
１１　フレーム
１２　ストッパー
１３　溝
１４　バネ
１５　凹部
１６　ラッチ
１７　ボタン
３１　表示画面を有する筐体
３２　回転部
３３，３４　アーム
３６　キー部を有する筐体
４０　フレーム
５１，５２　アーム
５６　爪
【図１】
2004104496.tif 000003
【図２】
2004104496.tif 000004
【図３】
2004104496.tif 000005
【図４】
2004104496.tif 000006
【図５】
2004104496.tif 000007
【図６】
2004104496.tif 000008
【図７】
2004104496.tif 000009
【図８】
2004104496.tif 000010
【図９】
2004104496.tif 000011
【図１０】
2004104496.tif 000012
【図１１】
2004104496.tif 000013
【図１２】
2004104496.tif 000014
【図１３】
2004104496.tif 000015
【図１４】
2004104496.tif 000016
【図１５】
2004104496.tif 000017